(57)【要約】【課題】風力及水力の回転、又はピストンエンジンの回転力を、内ギアで反転し増速機不要で倍加できる発電装置を提供する。【解決手段】主中心軸を通した円を形成する２重回転構造の発電機で前記した円を形成する２重構造の内側一重中心回転部に銅線を巻線した複数のコイルの円形集合体（回転子）で右回りとし、前記、中心回転部のコイルの円形集合体（回転子）の外側の２重目に永久磁石プラス（Ｎ）、マイナス（Ｓ）を複数円形配置した円アウターローターでこの円アウターローターを自動的に左回りにできる方法としてギア比により増速機不要一軸内ギア反転発電装置を提供する。 【選択図】図1
2016100906.tif 000002
【特許請求の範囲】
【請求項１】
発電に関するもので、その構成は、外周が回るアウターローター多極発電機で説明すれば、一軸パイプ型主シャフトを左右にベアリングを置いて中を通し水平に設置、前記の一軸パイプ型主シャフトの中心に銅線を巻線した複数の円形集合体（以下コイルの回転子という）を固定、この一軸パイプ型主シャフト（以下一軸主シャフトという）の右先端に外部からの水車の駆動連結用カップリング、その内側に大形の内ギアを固定、ここまで前記の一軸主シャフトとこのシャフトに固定した前述の同カップリング、同大形内ギア、同コイル回転子すべて右回りとし、一方前記のコイル回転子の外周には、永久磁石プラス（N）マイナス（S）を複数円形配置とし、前記の一軸主シャフトに接する部分にはベアリングを設け、前記のコイル回転子の外周をこの円形永久磁石で包囲、アウターローター回転が可能な作りとし、このアウターローターの回転が可能な円形永久磁石の右側、側面に中形ギアを固定、これは前記した一軸主シャフトに固定した大形内ギアの内側に小ギアを接して配置、この小ギアに、前記の主シャフト平行して、小シャフトを通し、同小シャフトに左右２ケの小ギアを固定この２ケの小ギアを遊星ギア（以下遊星ギア右、同左という）この遊星ギア右が大形内ギアの内側で接し右回転、遊星ギア左側の小ギアは、前記の円形永久磁石の右側、側面の中形ギアに接し、この中形ギアは左回りと反転するもので、通常のアウターローター型発電機は、主シャフトとコイルは固定され回転はしないが、大形内ギアとこれに接する遊星左ギアの組合せにより、複雑な作りをする事なく、一軸ギアで回転数が倍加でき、発電効率を大幅に向上できる構造を特徴とする増速機不要一軸内ギア反転発電装置。
【請求項２】
前述した、大形内ギア（又は、内歯歯車ともいう）や、遊星右ギア、同左ギア、ベアリングはすべてグリスケース内に収納、１ｋｗ以下の小型発電機はプラスチックギア使用でグリス不要で回転の向上と消音化、更には全体ギアの劣化防止を可能とし、前述の一軸主シャフトに装着した大形内ギアのギア歯数の増減や、遊星ギア歯数の増減で前述の外周反転部の磁石円アウターローターの回転を増減する事で発電量も増減可能で更に前述の中心部のコイル回転子を発電構造の外側に、又、磁石円アウターローター部を回転中心の内側に配置した発電方式でも、内ギア反転方は使用可で、発電出力を取り出す、出力ブラシ（又は電磁誘導ブラシレスでも良い）コントロール盤を全体ケースに収納、水力及風力の発電更にはピストンエンジン駆動にも前述の一軸主シャフトをカップリング（中心軸の連系接続用固定部品）で接続利用できる構造を特徴とする請求項１に記載の増速機不要一軸内ギア反転装置。
【発明の詳細な説明】
【技術分野】
【０００１】
本願発明は、発電方法で、その構成は、外周が回るアウターローター多極発電機で説明すれば、一軸パイプ型主シャフトを左右にベアリングを置いて中を通し水平に設置、前記の一軸パイプ型主シャフトの中心に銅線を巻線した複数の円形集合体（以下コイルの回転子という）を固定、この一軸パイプ型主シャフト（以下一軸主シャフトという）の右先端に外部からの水車の駆動連結用カップリング、その内側に大形の内ギアを固定、ここまで前記の一軸主シャフトとこのシャフトに固定した前述の同カップリング、同大形内ギア、同コイル回転子すべて右回りとし、一方前記のコイル回転子の外周には、永久磁石プラス（N）マイナス（S）を複数円形配置とし、前記の一軸主シャフトに接する部分にはベアリングを設け、前記のコイル回転子の外周をこの円形永久磁石で包囲、アウターローター回転が可能な作りとし、このアウターローターの回転が可能な円形永久磁石の右側、側面に中形ギアを固定、これは前記した一軸主シャフトに固定した大形内ギアの内側に小ギアを接して配置、この小ギアに、前記の主シャフト平行して、小シャフトを通し、同小シャフトに左右２ケの小ギアを固定この２ケの小ギアを遊星ギア（以下遊星ギア右、同左という）とし、この遊星ギア右が大形内ギアの内側で接し右回転、遊星ギア左側の小ギアは、前記の円形永久磁石の右側、側面の中形ギアに接し、この中形ギアは左回りと反転するもので、通常のアウターローター型発電機は、主シャフトとコイルは固定され回転はしないが、大形内ギアとこれに接する遊星左ギアの組合せにより、複雑な作りをする事なく、一軸ギアで回転数が倍加でき、発電効率を大幅に向上できる構造を特徴とする増速機不要一軸内ギア反転発電装置に関するものである。
【背景技術】
【０００２】
従来から水力発電機としては、ダムや急流を利用した大型水車発電が主流で、更に近年は原子力発電が注目され、大型の水力発電設備は景観破壊がある等で建設されなくなり、水力発電の役割は終えたと思われていた。しかし、２０１１年３月１１日の東日本大震災による原子力発電所の大事故で原子力発電機の新設は困難視されており、自然エネルギー発電で風力、水力、ソーラー、バイオマス、地熱などの発電利用の拡大が求められている。
【０００３】
しかし原子力発電機の事故で、原子力による環境破壊と使用済後のコスト高が近時急速に問題視され、再度風力と水力の発電が見直されてきたが、これらの自然エネルギーの設置にも、大型化での設置は更なる環境破壊元になるとして、新設には困難な面が多い。
【０００４】
その中で、特に日本は、国土の72％程度が山脈や山岳で急斜面が多く水力発電に適しており、特に近年は水力発電も小型化して、大型ダムを必要としない程度の地球温暖化防止の為にも自然エネルギーで循環できる小中型水力及風力又は電池式自動車の発電機装置の開発は急務である。
【０００５】
特に水力発電機で、水量の少ない山間部や渓流地で使用できる小型の水力発電機の開発が必要で又、小型の風力発電など、全国的に使用される装置の量産ができる本格的な実用機種は少なく発電機の改善が必要である。
【０００６】
現在の発電機で、同期発電機は回転数が１，２００回転から１，７００回転とサイズの大小により、まだ回転数が多く水力発電として小落差ではあまり発電機として利用しにくく、多極発電機は、磁石が３２極式で回転数が３５０回転で１台３００ワットから１０キロワットの発電機まであるが１台での重量が大で円型外形も大型で価格的にも一般に普及できる価格ではない。そこで、回転数６００から９００回転程度の縦置、横置使用で管理費も手間いらずの発電機が求められている。
【０００７】
これらの水力や風力又は電気自動車に向く発電装置の開発が必要で水力や風力のブレードは従来と同じでも発電量が７０から９０パーセントアップする方法として発電機の原理である中心の銅線の巻線コイル回転子と外周のアウターローターの磁石円形を反転する方法で大幅改善できるもので、ピストンエンジンの回転軸でも連結可能な反転を利用した発電装置はまだ開発されていない。
【先行技術文献】
【特許文献】
【０００８】
【特許文献１】特許W０２０１００７３７４３A１  公報
【特許文献２】特許P２０１１−４５２２９A      公報
【特許文献３】特願２０１４−２２２３００
【０００９】
●  特許W０２０１００７３７４３A１
この特許の反転風力発電式はスラストベアリング中心の使用で風力専用でシャフト又は回転軸が横ではなく縦に使用するもので利用が限定、水力やピストンエンジンの回転に向かない。
●  特許P２０１１−４５２２９A
この特許は水力用であるが、プロペラが電動により反転するもので、風力発電やピストンエンジンの回転には向かない。
●  特願２０１４−２２２３００
本願発明文と同じ長松院泰久が考案したものであるが
大きな相違点は（１）一軸主シャフト側に大形内ギアを使用した事で、前回の発明より                      空回りギア数を一段減らす事が出来ギア抵抗も減じる効果で回転                      がなめらかになった。
（２）製作コストも減じ、よりコンパクトになり、メンテナンスも容易                      である。
（３）全体が小型化でき、その割には回転数の幅が広がり、利用強弱の幅も                  拡大できる効果が大きい。
【００１０】
◎その他  （株）協和コンサルタンツ社製
当社の相反転方式による小水力発電機についても今回の申請人長松院泰久の発明と異なる点は
（イ）水車がプロペラ式で縦型利用で、異なる螺旋式スクリューが２段に装着されて反転する仕組みである。
（ロ）反転スクリューの駆動がVベルトで発電機の磁石とコイルに伝えられておりVベルトの伸びや水分が混入しやすく長期利用に不向き。
（ハ）横向利用や風力発電、ピストンエンジンへの接続は不可で、水力発電に限定利用されるもので、相反転スピードも容易には変更できない。
【００１１】
以上で発電量は装置部品ロスを見て平均して１．５倍から１．８倍が求められるが今回の申請人長松院泰久の発明は前述の点、縦、横向き使用に支障なく水力発電、風力発電、ピストンエンジンすべての駆動軸に接続でき、発電機への回転スピードも一部ギアを変更するだけで、回転数の増減が容易で保守管理も支障なく長期利用が可能で増減速の幅も広く利用用途が多種である。
【発明の開示】
【発明が解決しようとする課題】
【００１２】
（イ）  小型の水力発電機、風力、バイオマス発電など自然エネルギーの普及には発電機の改良が必要で、特に近時、監視カメラ、地震、水害利用の水位計、センサー利用等５ｋｗ〜１０ｋｗ／ｈ等、又、照明ヒーター用と山頂トイレ、山小屋ヒーター用と発電機の需要が多い。
（ロ）  縦、横向きが出来、風力、水力の発電やピストンエンジンへの接続も可能にするためにはどうするか、
（ハ）  特に水力には、水量はあるが、流水速が１時間当り６ｋｍ〜８ｋｍと遅い地域が多くあり、全地域利用向き発電機にはどうするか、
（ニ）  自然エネルギーの利用は屋外であり、保守管理を容易にする方法はどうするか、
（ホ）  全体的に製作しやすく、増速機不要などの改良が必要でどうすればよいか、運搬取付がしやすい、コンパクトな実用幅が広い構造にはどうすれば良いか、
本発明は、このような従来の構造が有していた問題を解決しようとするものであり、実用性に富む発電装置の実現する事を目的とするものである。
【課題を解決するための手段】
【００１３】
請求項１の発明は、発電に関するもので、その構成は、外周が回るアウターローター多極発電機で説明すれば、一軸パイプ型主シャフトを左右にベアリングを置いて中を通し水平に設置、前記の一軸パイプ型主シャフトの中心に銅線を巻線した複数の円形集合体（以下コイルの回転子という）を固定、この一軸パイプ型主シャフト（以下一軸主シャフトという）の右先端に外部からの水車の駆動連結用カップリング、その内側に大形の内ギアを固定、ここまで前記の一軸主シャフトとこのシャフトに固定した前述の同カップリング、同大形内ギア、同コイル回転子すべて右回りとし、一方前記のコイル回転子の外周には、永久磁石プラス（N）マイナス（S）を複数円形配置とし、前記の一軸主シャフトに接する部分にはベアリングを設け、前記のコイル回転子の外周をこの円形永久磁石で包囲、アウターローター回転が可能な作りとし、このアウターローターの回転が可能な円形永久磁石の右側、側面に中形ギアを固定、これは前記した一軸主シャフトに固定した大形内ギアの内側に小ギアを接して配置、この小ギアに、前記の主シャフト平行して、小シャフトを通し、同小シャフトに左右２ケの小ギアを固定この２ケの小ギアを遊星ギア（以下遊星ギア右、同左という）とし、この遊星ギア右が大形内ギアの内側で接し右回転、遊星ギア左側の小ギアは、前記の円形永久磁石の右側、側面の中形ギアに接し、この中形ギアは左回りと反転するもので、通常のアウターローター型発電機は、主シャフトとコイルは固定され回転はしないが、大形内ギアとこれに接する遊星左ギアの組合せにより、複雑な作りをする事なく、一軸ギアで回転数が倍加でき、発電効率を大幅に向上できる構造を特徴とする増速機不要一軸内ギア反転発電装置を提供するものである。  
【００１４】
請求項２の発明は、前述した、大形内ギア（又は、内歯歯車ともいう）や、遊星右ギア、同左ギア、ベアリングはすべてグリスケース内に収納、１ｋｗ以下の小型発電機はプラスチックギア使用でグリス不要で回転の向上と消音化、更には全体ギアの劣化防止を可能とし、前述の一軸主シャフトに装着した大形内ギアのギア歯数の増減や、遊星ギア歯数の増減で前述の外周反転部の磁石円アウターローターの回転を増減する事で発電量も増減可能で更に前述の中心部のコイル回転子を発電構造の外側に、又、磁石円アウターローター部を回転中心の内側に配置した発電方式でも、内ギア反転方は使用可で、発電出力を取り出す、出力ブラシ（又は電磁誘導ブラシレスでも良い）コントロール盤を全体ケースに収納、水力及風力の発電更にはピストンエンジン駆動にも前述の一軸主シャフトをカップリング（中心軸の連系接続用固定部品）で接続利用できる構造を特徴とする請求項１に記載の増速機不要一軸内ギア反転装置を提供するものである。
【００１５】
発明の作用は次の通りである。水力発電機の試作で、第一の発明では、価格上の問題があるが今回は１６極の多極形発電機を利用、通常は中心の磁石が回転し、外側にコイルを配置する発電機が主であるが、前述の通り１６極の多極式を利用、コギングトルク（引き合う力）もなく定格回転数７５０回転で水車が３１０回転で発電機は３４０回ながら反転回転で６８０回転とほぼ同じで定格の９３％の２３ワット発電作用を確認、ＬＥＤ０．６Ｖを１２ケ負荷を掛け照明した。
【００１６】
第２の発明作用は、又、グリスは若干ゆるめがギアへの抵抗が少なく、消音効果は充分作用、グリスケースはケースの周囲に防油パッキンが必要で主中心軸と水車連結カップリングは、強化プラスチックを間に施した部品が良く、出力ブラシも両方に配置した方がノイズが出ない作用があった。
【発明の効果】
【００１７】
本発明の効果は次の通りである。
（イ）第１の発明効果は、主シャフト軸の回転数を遊星ギアのみの使用で発電機の中心のコイルの回転子とこのコイルの回転子の外周の磁石のアウターローターの回転が反転し、風力の風圧や水力の流量と流速が小さい場合でも増速機を使用する事なく発電の向上が認められる効果があった。
（ロ）風量の弱い場所での小型の風力発電の利用や水量の少ない小落差での水力発電や蒸気タービン発電機では小量の蒸気で発電できる効果があった。
（ハ）特にギア数が一つ減った事でスムーズな回転となりピストンエンジンでも回転軸の接続でスロー回転でもバッテリーへの充電が可能となり電気自動車の運転時間の延長効果がある。
【００１８】
第２の発明効果はよりコンパクトになり横、縦使用が出来、保守管理が容易で平地、山林、山脈、山岳での風車及水力発電が使用できる効果がある。
以上で水力及風力の小型発電装置が併用でき自然エネルギーの発電量向上で使用幅が大きく拡大でき、地震、水害用、監視カメラ、センサー、イノシシ・クマの電磁網などの利用効果が期待できる。
【図面の簡単な説明】
【００１９】
【図１】増速機不要一軸内ギア反転発電装置正面図（本発明の実施形態を示す正面図）
【図２】平面図（以下、上記文言を省略する）
【図３】平面内部断面図
【図４】図４の１従来技術図        図４の２新発明技術図
【図５】図５の１ギア回転方向図    図５の２ギア取付位置図
【図６】図６の１歯車参考図        図６の２内歯車参考図
【図７】多極発電機参考図
【図８】発電機と出力ブラシへの概要回路図
【発明を実施するための最良の形態】
【００２０】
水の流速は平地や河川下流では遅いが農業地区の水路や側溝、山岳地の農地では時速６キロメートルから同１５キロメートルの流速と水量は大量にあり、これらを従来の方法を大幅に改善する事で、少量の水を集水し、小型で小量発電ながら安全に、安定した水力発電機の利用を可能にする為、発電機の改良で増速機を不要とし、実験を基に、それぞれの地域と使用状況は一致しておらず河川及農業用水路の改修や水流の変更等、その河川を改築する事なく、多様な河川の状況に合う小型水力発電装置及、風力発電機を開発それらの水力と風力の両発電装置の併用を含めて利用、農産物、農業用水道、金具、機具、農機具の盗難、監視カメラ用、水害、山崩れ、山小屋、照明、ヒーター用、地震等の災害防止カメラ、スピーカー、いのしし、クマ、さる等の野獣侵入防止電磁線等の電力を提供する実用的な発電装置を普及する必要がありコンパクトな実施形態とした。
【００２１】
以下、本発明の実施形態を図１〜図８に基づいて説明する。
【００２２】
図１は、増速機不要一軸内ギア反転発電装置正面図で本発明の実施形態を示す正面図である（以下内ギア反転発電装置という）。１は、発電部ケースで３は、取っ手で、４のボルトナット口で固定台に締める。５は主シャフトカップリング、７は、ネジビスでネジビスを緩め発電機内部を点検する。
【００２３】
図２は、平面図で、１０が回転駆動部軸側で水力や風力発電、更にはピストンエンジン、蒸気タービンの回転駆動を左側の５の主シャフト駆動連結カップリングを通じ内ギア反転発電装置に連結し、主に発電機への反転及若干のギア比を変更し発電効率を向上でき、蒸気タービンでは減速して回転力を向上する使用もあり、その他の数１，２，３，４は図１の通りである。
【００２４】
図３は、平面内部断面図で、文言を省略せずに説明すれば、本願発明のすべてが説明できる図で、増速機不要一軸内ギア反転発電装置である。図の説明に当り数字は前後するが、１の発電部ケース内から、１３の発電機で右の１０の回転駆動部軸側は、５のカップリングを通じ、そのまま途中切断されず、左側最端の３０まで発明の一軸主シャフトとなっており、この一軸主シャフトは、２１ベアリング固定台（１）と２２のベアリング固定（２）振動にも耐える固定とし、その一軸主シャフトに右側から１２の大形内ギアその中に１４の遊星ギア右があり遊星ギア右と左側の１５の遊星ギア左がありこの２ケを１６の遊星ギア小シャフトで連結、これを２１のベアリング固定台２１で１７のベアリング小の２ケで支え、１２の大形内ギアの回転と１４の遊星ギア右は同時に右回りとなるが、遊星ギア左は同右回りでもこれに接する１８のアウターローター側中形ギアは反転し左回りとなるもので、発電機１３の中の２４の磁石側、すなわちアウターローター側は、中心部内側のコイル回転子２３が右回りならば、前述の外側の２４の磁石アウターローター側は左回りとして反転するものでそれぞれの回転数は、それぞれのギア比で決定されるが、一軸主シャフトの回転で連動して、磁石２４のアウターローター側は反転するもので一軸主シャフトの２倍以上の回転以上の回転力となり発電効率が向上する。
【００２５】
図３の続きで、２１はピローブロック固定台、数は前後するが２０はオイルケースで２５のオイル補助タンクで半ねり状のオイルが補充され２６、出力ブラシU、２７、出力ブラシWは、２重となっており出力発力に三相発電機のスムーズな出力を取り出し、２９の配線端子盤を経由し、６の出力ソケットから電力を供給するもので必要に応じ、小型コントローラーシステムシーケンスも使用する。その他の数１，５、は図１、図２の通りである。
【００２６】
図４の１は従来技術図で、３１の水車（又は風車）は下回り（右回り）で５の主シャフトカップリングで接続され、数は前後するが、３６の接続円盤で発電機の２４のアウターローターの外周に接続され矢印３４の通り下へ、水車３１と同じ下へ回転し発電する。
２３の中心銅線（コイル回転子）は、３２の主中心固定シャフトと中で固定され、３３の固定台で支持され前記２３のコイルは回転しない。
アウターローター（磁石）が外周にあり多極式の発電機の場合、磁石とコイルの引き合う力（コキングトルク）と鉄心の損失がない事と１６極３２極となると回転数が７５０から３５０回転と通常の１，２００〜１，７００回転に比べ回転数が少なく自然エネルギーに向くが、重量が重く価格が３〜４倍高額となり更に取付方法がしにくく１台２０ＫＷ以上は製作が困難で風車に５００〜７００ＫＷ以上も作られたが、価格が高くメーカーも少ないため普及はしていない。
１６極か８極で小型化出来る発電機が求められているが、回転数が６００〜９００回転となり、今回の発明により定格回転数７５０とほぼ同じ回転となった。水力や風力などの強弱のため１００〜１５０回転は余裕を持たせる必要がある。
【００２７】
図４の２は、新発明技術図で、数字は前後するが、３１の水車（又は風車）は下へ（右回り）矢印３４の方向に回り、５の主シャフト駆動軸カップリングの軸は、３０の左端の主シャフト軸左側最端と同一軸で、２４のアウターローター（磁石）は、１８のアウターローター中形ギアと固定され３５のラジアルベアリングで支持され、いわゆる、２３の主中心軸コイル回転子は３１の水車（又は風車）と同一に下へ（右回り）回り、外周の２４のアウターローター（磁石）は反対の上に左回りとなる。
これは、１２の大形内ギアと１４，１５の遊星ギアと同じに回り１５の遊星ギア左と接する１８のアウターローター側中形ギアが反転する為で１１の主シャフトが回転すると同時に１２の大形内ギアも回転、同調して１４、１５の遊星ギアもスムーズに回転できた。
その他の数１３はアウターローター発電機１４、２６、２７，２８は図３の通りである。
【００２８】
図５の１は、ギア回転方向図で、３７の参考小ギアは、左回りで、参考大ギア３８は逆回転して右回りとなり、ギアの逆転（反転）がわかる。
【００２９】
図５の２はギア取付位置図で２１のベアリング固定台に１２の大形内ギアが１９のピローブロックで支えられ１６の遊星ギア右が１７のベアリング小で固定され、１２、１６の同ギアは同じ方向に回る。
【００３０】
図６の１は、歯車参考図で、４０の左側２４歯車が１回転すると、４１の１２歯車は２回転する、逆に使うと、３９の歯車が２回転すると、３８の２４の歯車は１回転で減速効果が出て回転力は強くなる、前記は回転数は２倍で回転力は弱くなる。
【００３１】
図６の２は内歯車参考図で、ギア個数の減少と省力化のため大形内歯車の１２を使用１６の遊星ギア右で、内大形内ギアと同じ方向へ回る。
【００３２】
図７は多極発電機参考図で、４２がコイル部で、通常はこの機種は外側を固定し、４２のコイル部を回転させ反転はしないが、本発明は、両方が反転し発電出力を向上する発明である。
【００３３】
図８は、発電機と出力ブラシへの概要回路図で、アウターローター発電機の発電部コイル２３は、三相のコイルで三相交流として発電し、４４のコイル固定円台に固定されたコイルから、発電した電力を主シャフトパイプ式内を通じ、４５の電路線を経由して４６の主シャフト側円形体と、出力ブラシが接触し、２６Ｕ、同２７V、同２８Wに接続し、発電出力を取り出し、配線コントローラー盤へ送る構造でカップリング５の９は強化プラスチック緩衝材である。その他の数、１１，１８，２３は図３、図４の１、図４の２の通りである。
【産業上の利用可能性】
【００３４】
本願出願の増速機不要一軸内ギア反転発電装置は、近時、特に原子力発電の事故により原子力の新設は困難として、発電の多様化が叫ばれ、自然エネルギーの地熱発電、水力発電の必要性が高まっている。その中で河川、河川の幅、水量、水の落差に応じ、製作設置後の管理費が少ない実用性の高い小型の水力発電装置又は風力発電装置が必要で、製作、運搬、設置が容易に出来る構造で日本全体が傾斜地の河川や小川が多い日本での普及が期待でき水力及風力に利用できる発電装置である。特に近時は、スーパー台風、極地大雨、地震、津波の発生等、気象変動が大きく、山間部の農産物の良否も大きく、農産物、農業用水道機具の盗難防止の監視カメラ、水害、山崩れ、地震、雪崩の災害防止、カメラ、センサー、スピーカー、いのしし、クマ、さる等の野獣の侵入防止電磁線の電力として安定した発電をする１基１KW〜１０KW程度のバイオマス発電にも利用できるもう少し回転数に幅があり発電効率の良い、設置が利用しやすい前記の増速機不要の一軸内ギア反転発電装置は、全国で必要性があり産業向上にも、今後将来にわたっても必要である。
【符号の説明】
【００３５】
１．発電部ケース
２．換気口
３．取っ手
４．ボルトナット口
５．主シャフト駆動連結カップリング
６．電力出力ソケット
７．ネジビス
８．グリスメンテマド
９．カップリング強化プラスチック緩衝材
１０.  回転駆動部軸側（シャフトともいう）
１１.  主シャフト（パイプ式）（一軸主シャフトともいう）
１２.  大形内ギア
１３.  発電機（アウターローター発電機ともいう）
１４.  遊星ギア右
１５.  遊星ギア左
１６.  遊星ギア小シャフト
１７.  ベアリング小
１８.  アウターローター側中形ギア
１９.  ピローブロック
２０.  オイルケース
２１.  ベアリング固定台（１）
２２.  ベアリング固定台（２）
２３.  中心銅線巻線（コイルという）
２４.  アウターローター（磁石）（Ｎ）（Ｓ）
２５.  オイル補助タンク
２６.  出力ブラシＵ（磁気ブラシともいう）
２７.  出力ブラシＶ（        〃        ）
２８.  出力ブラシＷ（        〃        ）
２９.  配線端子盤
３０.  主シャフト軸左側最端（パイプ式）
３１.  水車（又は風車）
３２.  主中心固定シャフト
３３.  固定台
３４.  回転方向矢印
３５.  ラジアルベアリング（インナー型）
３６.  接続円盤
３７.  参考小ギア
３８.  参考大ギア
３９.  参考小ギア
４０.  左側２４歯車
４１.  １２歯車
４２.  コイル部
４３.  外周部
４４.  コイル固定円台
４５.  電路線
４６.  主シャフト側円形体
【図１】
2016100906.tif 000003
【図２】
2016100906.tif 000004
【図３】
2016100906.tif 000005
【図４】
2016100906.tif 000006
【図５】
2016100906.tif 000007
【図６】
2016100906.tif 000008
【図７】
2016100906.tif 000009
【図８】
2016100906.tif 000010